(57)【要約】【課題】外部入力信号を効率良く検出する信号検出装置、信号検出方法及び信号検出プログラムを提供すること。【解決手段】信号検出装置は、接続された複数の外部信号の入力の有無を判定する第一制御部１１と、第一制御部１１の起動後に起動する第二制御部１２と、第一制御部１１に直接的に接続され、複数の外部信号の一種である第一外部信号を入力する第一入力部２１と、第一制御部１１に第二制御部１２を介して接続され、複数の外部信号の別の一種である第二外部信号を入力する第二入力部２２と、を備える。第一制御部１１は、第一制御部１１の起動後に第一外部信号の入力の有無を判定し、第二制御部１２が起動した後に、第二外部信号の入力の有無を判定する。【選択図】図１
2020098947.tif 000002
【特許請求の範囲】
【請求項１】
接続された複数の外部信号の入力の有無を判定する第一制御部と、
前記第一制御部の起動後に起動する第二制御部と、
前記第一制御部に直接的に接続され、前記複数の外部信号の一種である第一外部信号を入力する第一入力部と、
前記第一制御部に前記第二制御部を介して接続され、前記複数の外部信号の別の一種である第二外部信号を入力する第二入力部と、
を備え、
前記第一制御部は、
前記第一制御部の起動後に前記第一外部信号の入力の有無を判定し、
前記第二制御部が起動した後に、前記第二外部信号の入力の有無を判定する、
ことを特徴とする信号検出装置。
【請求項２】
前記第一制御部は、前記第二制御部の起動前は、前記第二外部信号の入力の有無の判定を行わないことを特徴とする請求項１に記載の信号検出装置。
【請求項３】
前記第一制御部は、前記第二外部信号の入力の有無を判定した後に、さらに前記第一外部信号の入力の有無を判定することを特徴とする請求項１又は２に記載の信号検出装置。
【請求項４】
前記第一制御部は、前記第二制御部の起動後、全ての前記第一外部信号の入力の有無を判定する前に、全ての前記第二外部信号の入力の有無を判定し、前記第一外部信号の入力の有無の判定を途中から再開することを特徴とする請求項３に記載の信号検出装置。
【請求項５】
前記第一制御部は、前記第一外部信号の入力の有無を予め定めた回数判定した場合、前記第二制御部の起動前であっても処理を終了することを特徴とする請求項１乃至請求項４の何れかに記載の信号検出装置。
【請求項６】
前記第一制御部は、前記第二制御部の起動した後に前記第一外部信号及び前記第二外部信号の入力の有無を予め定めた回数判定した場合に処理を終了することを特徴とする請求項１乃至請求項５の何れかに記載の信号検出装置。
【請求項７】
前記第一制御部は、前記第二制御部の起動後、全ての前記第一外部信号の入力の有無を判定した後に、前記第二外部信号の入力の有無を判定することを特徴とする請求項１乃至請求項３の何れかに記載の信号検出装置。
【請求項８】
前記第一入力部又は前記第二入力部を記憶したラストソースと、前記第一外部信号及び前記第二外部信号の判定順とを、予め記憶した記憶部を備え、
前記第一制御部は、
前記ラストソースが前記第二入力部である場合に、前記第一外部信号の入力の有無を前記判定順に従って判定し、前記第二制御部が起動した後に、前記第二外部信号の入力の有無を前記ラストソースから順に判定し、
前記ラストソースが前記第一入力部である場合に、前記第一外部信号の入力の有無を前記ラストソースから判定する、
ことを特徴とする請求項１乃至請求項７の何れかに記載の信号検出装置。
【請求項９】
前記第一制御部は、前記第一外部信号又は前記第二外部信号を検出すると、検出した前記第一外部信号又は前記第二外部信号を他の機能部へ出力して処理を終了することを特徴とする請求項１乃至請求項８の何れかに記載の信号検出装置。
【請求項１０】
光源と、該光源から出射された光を前記第一外部信号又は前記第二外部信号に含まれる画像データに基づいて画像光を形成し外部に投影する表示素子とを備えた投影装置であることを特徴とする請求項１乃至請求項９の何れかに記載の信号検出装置。
【請求項１１】
接続された複数の外部信号の入力の有無を判定する第一制御部と、前記第一制御部の起動後に起動する第二制御部と、前記第一制御部に直接的に接続され、前記複数の外部信号の一種である第一外部信号を入力する第一入力部と、前記第一制御部に前記第二制御部を介して接続され、前記複数の外部信号の別の一種である第二外部信号を入力する第二入力部と、を備える装置の信号検出方法であって、
前記第一制御部は、
前記第一制御部の起動後に前記第一外部信号の入力の有無を判定し、
前記第二制御部が起動した後に、前記第二外部信号の入力の有無を判定する、
ことを特徴とする信号検出方法。
【請求項１２】
接続された複数の外部信号の入力の有無を判定する第一制御部と、前記第一制御部の起動後に起動する第二制御部と、前記第一制御部に直接的に接続され、前記複数の外部信号の一種である第一外部信号を入力する第一入力部と、前記第一制御部に前記第二制御部を介して接続され、前記複数の外部信号の別の一種である第二外部信号を入力する第二入力部と、を備えるコンピュータが実行する信号検出プログラムであって、前記コンピュータを、
前記第一制御部の起動後に前記第一外部信号の入力の有無を判定させ、
前記第二制御部が起動した後に、前記第二外部信号の入力の有無を判定させる、
ことを特徴とする信号検出プログラム。
【発明の詳細な説明】
【技術分野】
【０００１】
本発明は、信号検出装置、信号検出方法及び信号検出プログラムに関する。
【背景技術】
【０００２】
従来から、複数の信号入力端子を備えて、画像信号の入力が有った信号入力端子から画像信号を取り込むプロジェクタが開示されている。例えば、特許文献１の画像投射用プロジェクタは、画像信号入力端子毎に過去の時間帯別の信号入力回数を格納する入力端子別使用頻度テーブルを有しており、各画像信号入力端子への画像信号入力の有無の検出を、該当する時間帯における使用頻度の多い順に行っている。
【先行技術文献】
【特許文献】
【０００３】
【特許文献１】特開２００６−２３５５１号公報
【発明の概要】
【発明が解決しようとする課題】
【０００４】
上述のような画像信号の入力を検出する装置において、装置のメイン制御部とは別に、外部入力信号を検出する信号検出用制御部が設けられる場合がある。そうすると、装置の起動時等においてメイン制御部と信号検出用制御部との間で起動時間が異なる場合があり、メイン制御部が起動前の信号検出用制御部に入力信号の入力の有無を問い合わせる等、無駄な処理を発生させてしまうことが想定される。
【０００５】
本発明は、以上の点に鑑み、外部入力信号を効率良く検出する信号検出装置、信号検出方法及び信号検出プログラムを提供することを目的とする。
【課題を解決するための手段】
【０００６】
本発明の信号検出装置は、接続された複数の外部信号の入力の有無を判定する第一制御部と、前記第一制御部の起動後に起動する第二制御部と、前記第一制御部に直接的に接続され、前記複数の外部信号の一種である第一外部信号を入力する第一入力部と、前記第一制御部に前記第二制御部を介して接続され、前記複数の外部信号の別の一種である第二外部信号を入力する第二入力部と、を備え、前記第一制御部は、前記第一制御部の起動後に前記第一外部信号の入力の有無を判定し、前記第二制御部が起動した後に、前記第二外部信号の入力の有無を判定する、ことを特徴とする。
【０００７】
本発明の信号検出方法は、接続された複数の外部信号の入力の有無を判定する第一制御部と、前記第一制御部の起動後に起動する第二制御部と、前記第一制御部に直接的に接続され、前記複数の外部信号の一種である第一外部信号を入力する第一入力部と、前記第一制御部に前記第二制御部を介して接続され、前記複数の外部信号の別の一種である第二外部信号を入力する第二入力部と、を備える装置の信号検出方法であって、前記第一制御部は、前記第一制御部の起動後に前記第一外部信号の入力の有無を判定し、前記第二制御部が起動した後に、前記第二外部信号の入力の有無を判定する、ことを特徴とする。
【０００８】
本発明の信号検出プログラムは、接続された複数の外部信号の入力の有無を判定する第一制御部と、前記第一制御部の起動後に起動する第二制御部と、前記第一制御部に直接的に接続され、前記複数の外部信号の一種である第一外部信号を入力する第一入力部と、前記第一制御部に前記第二制御部を介して接続され、前記複数の外部信号の別の一種である第二外部信号を入力する第二入力部と、を備えるコンピュータが実行する信号検出プログラムであって、前記コンピュータを、前記第一制御部の起動後に前記第一外部信号の入力の有無を判定させ、前記第二制御部が起動した後に、前記第二外部信号の入力の有無を判定させる、ことを特徴とする。
【発明の効果】
【０００９】
本発明によれば、外部入力信号を効率良く検出する信号検出装置、信号検出方法及び信号検出プログラムを提供することができる。
【図面の簡単な説明】
【００１０】
【図１】本発明の実施形態に係る投影装置の構成図である。
【図２】本発明の実施形態に係る投影装置の起動時の処理を示すフローチャート（１）である。
【図３】本発明の実施形態に係る投影装置の起動時の処理を示すフローチャート（２）である。
【発明を実施するための形態】
【００１１】
以下、本発明を実施するための形態について述べる。図１は投影装置１０の構成を示す図である。本実施形態の投影装置１０は、スクリーンや壁面等に画像を投影するＤＬＰ（登録商標）方式のプロジェクタである。投影装置１０は、外部接続機器３１，３２と有線又は無線で接続され、その外部接続機器３１，３２からの画像を投影して出力する。
【００１２】
投影装置１０は、メインＣＰＵである第一制御部１１（第一制御手段）、主として外部入力信号の入出力を制御するマルチメディアＣＰＵである第二制御部１２（第二制御手段）、及び記憶部１３を備える。また、投影装置１０は、外部信号を入力させるインターフェースである第一入力部２１（第一入力手段）及び第二入力部２２（第二入力手段）や、投影画像を生成する光源１１１、カラーホイール１１２及び表示素子１１３等を備える。外部信号には画像や動画データが含まれる。
【００１３】
第一制御部１１は、第一入力部２１から外部信号Ｔ１（第一外部信号）を直接的に受信する。また、第二制御部１２は、第二入力部２２から外部信号Ｔ２（第二外部信号）を受信して第一制御部１１へ送信する。第一制御部１１は、直接的に取得した外部信号Ｔ１、第二制御部１２を介して取得したＴ２を画像処理し、光源１１１、カラーホイール１１２及び表示素子１１３を制御して画像光として投影装置１０の外部へ投影させることができる。
【００１４】
光源１１１は、青色波長帯域光、緑色波長帯域光及び赤色波長帯域光を表示素子１１３へ向けて、一つの画像フレーム内に時分割させて出射する。光源１１１から出射された各色の光は、表示素子１１３に照射される前に、適宜カラーホイール１１２により適宜不要な波長成分を除去して調光させることができる。本実施形態の投影装置１０はＤＬＰ方式であり、表示素子１１３にはＤＭＤ（デジタルマイクロミラーデバイス）が用いられる。第一制御部１１は表示素子１１３を制御することにより光源１１１から出射された光を反射させて、画像光を形成することができる。表示素子１１３で反射された画像光は、投影装置１０内の図示しないレンズを介して投影装置１０の外部に設けられたスクリーン等に投影される。
【００１５】
記憶部１３には、ラストソース１３１、カウンタ１３２、検索済ソース１３３及び判定順１３４が記憶される。ラストソース１３１には、最後に投影された画像データの出力元となっていた第一入力部２１又は第二入力部２２のいずれかのソースが記憶される。カウンタ１３２は、外部信号Ｔ１，Ｔ２の入力の有無の判定回数をカウントして、その判定処理を終了するか否かの判定に用いられる。検索済ソース１３３には、第一入力部２１であるＲＧＢ２１１（ＶＧＡ）、Ｖｉｄｅｏ２１２及びＨＤＭＩ（登録商標）２１３のうち、最後に外部信号の入力の有無を判定されたソースが記憶される。判定順１３４には、第一入力部２１内における入力の判定順と、第二入力部２２内における入力の判定順とが記憶される。記憶部１３には、その他にも、外部信号Ｔ１，Ｔ２の自動検出（自動入力サーチ）の有効無効設定、投影装置１０を制御する各種のプログラム、投影画像のデータ等を記憶することができる。記憶部１３には、コンピュータである投影装置１０に、第一制御手段（第一制御部１１）の起動後に外部信号Ｔ１の入力の有無を判定させ、第二制御手段（第二制御部１２）が起動したことを検出すると、外部信号Ｔ２の入力の有無を判定させる、信号検出プログラムが記憶される。具体的な処理については図２及び図３の説明で後述する。
【００１６】
第一入力部２１には、ＲＧＢ２１１、Ｖｉｄｅｏ２１２及びＨＤＭＩ２１３が含まれる。また、第二入力部２２には、ＵＳＢ２２１及び有線／無線ＬＡＮ２２２が含まれる。ＵＳＢ２２１には、外部接続機器３１として電子辞書や電卓を接続することができる。また、有線／無線ＬＡＮ２２２には、外部接続機器３２として、パソコン、タブレット、スマートフォン等を接続することができる。なお、有線／無線ＬＡＮ２２２には複数の外部接続機器３２を同時に接続させておいて優先順位を定めてもよい。
【００１７】
次に、図２を参照して投影装置１０の起動時に第一制御部１１が行う処理のフローチャート（１）について説明する。まず、電源が入力されると、第一制御部１１は、ステップＳ１０１で初期設定を行う。初期設定としては、後述するステップＳ１１２，Ｓ２０９で使用されるカウンタ１３２のリセット等が行われる。
【００１８】
ステップＳ１０２で、第一制御部１１は、記憶部１３に予め設定しておいた自動入力サーチの有効又は無効の設定を判定する。有効設定がされていない場合（ステップＳ１０２，Ｎｏ）、第一制御部１１は記憶部１３を参照してラストソース１３１を確認する（Ｓ１０４）。本実施形態では、ラストソース１３１として、ＲＧＢ２１１，Ｖｉｄｅｏ２１２、ＨＤＭＩ２１３、ＵＳＢ２２１又は有線／無線ＬＡＮ２２２のいずれかが記憶される。
【００１９】
ステップＳ１０５で、第一制御部１１は、ラストソース１３１として記憶された外部入力に切り換えて、処理を終了させる。例えば、ラストソース１３１がＨＤＭＩ２１３であった場合は、第一制御部１１は、外部入力をＨＤＭＩ２１３に切り換え、光源１１１、カラーホイール１１２及び表示素子１１３等を制御して画像を生成し、生成した画像を投影装置１０の外部へ投影させる。ＨＤＭＩ２１３に外部信号が入力されていない場合は、投影画像としてブルー画像や黒画像を投影させることができる。
【００２０】
第一制御部１１は、自動入力サーチの有効設定がされている場合（ステップＳ１０２，Ｙｅｓ）、ステップＳ１０３で記憶部１３を参照してラストソース１３１を取得する。例えば、第一制御部１１は、ラストソース１３１としてＨＤＭＩ２１３を取得することができる。
【００２１】
次に、以下のステップＳ１０６，Ｓ１０８及びＳ１１０において、第一制御部１１は、第一入力部２１から外部信号が入力されているか順次判定する。判定する順番について、ステップＳ１０３で取得したラストソース１３１が第二入力部２２に含まれるＵＳＢ２２１又は有線／無線ＬＡＮ２２２のいずれかである場合、第一制御部１１は、ステップＳ１０６、Ｓ１０８及びＳ１１０において予め定めた判定順１３４に従い第一入力部２１からの入力の有無を判定する。本実施形態では、第一入力部２１の判定順１３４として、ＲＧＢ２１１、Ｖｉｄｅｏ２１２、ＨＤＭＩ２１３の順番が記憶部１３に予め記憶されているため、第一制御部１１は、ラストソース１３１が第二入力部２２である場合は、ステップＳ１０６、Ｓ１０８及びＳ１１０のそれぞれにおいて図２とは異なるＲＧＢ２１１、Ｖｉｄｅｏ２１２及びＨＤＭＩ２１３の順に外部信号Ｔ１の入力の有無を判定する。
【００２２】
一方、ステップＳ１０３において取得したラストソース１３１が第一入力部２１に含まれるＲＧＢ２１１、Ｖｉｄｅｏ２１２及びＨＤＭＩ２１３のいずれかである場合、第一制御部１１は、まずラストソース１３１から外部信号Ｔ１の入力の有無を判定して、以降は判定順１３４に従って次の外部信号Ｔ１から判定を行う。本実施形態では、ステップＳ１０３で取得したラストソース１３１がＨＤＭＩ２１３であり、第一入力部２１の判定順１３４がＲＧＢ２１１、Ｖｉｄｅｏ２１２及びＨＤＭＩ２１３であるため、第一制御部１１は、ステップＳ１０６、Ｓ１０８及びＳ１１０のそれぞれにおいてＨＤＭＩ２１３、ＲＧＢ２１１及びＶｉｄｅｏ２１２の順に外部信号Ｔ１の入力の有無を判定する。以下、ステップＳ１０６以降の処理について説明する。
【００２３】
ステップＳ１０６で、第一制御部１１は、第一入力部２１のＨＤＭＩ２１３（ラストソース１３１）から外部信号Ｔ１が入力されているか判定する。第一制御部１１は、ＨＤＭＩ２１３からの外部信号Ｔ１の入力が有る場合（Ｓ１０６，Ｙｅｓ）、ＨＤＭＩ２１３からの外部信号Ｔ１にソースを切り換えて投影し（Ｓ１１３）、処理を終了する。第一制御部１１は、ＨＤＭＩ２１３から外部信号Ｔ１の入力が無い場合（Ｓ１０６，Ｎｏ）、ステップＳ１０７の処理に進む。
【００２４】
ステップＳ１０７で、第一制御部１１は、第二制御部１２が起動したか判定する。第二制御部１２が起動したが否かは、第一制御部１１が第二制御部１２に対して問い合わせを行い、応答が無い場合に第二制御部１２が起動していないと判定したり、第二制御部１２から予め定めた信号が入力された場合に第二制御部１２が起動したと判定したりすることができる。第一制御部１１は、第二制御部１２が起動している場合に（Ｓ１０７，Ｙｅｓ）、検索済ソース１３３としてＨＤＭＩ２１３を設定して（Ｓ１１４）、図３のステップＳ２０１に進む。一方、第一制御部１１は、第二制御部１２が起動していない場合に（Ｓ１０７，Ｎｏ）、ステップＳ１０８の処理に進む。
【００２５】
ステップＳ１０８で、第一制御部１１は、第一入力部２１のＲＧＢ２１１から外部信号Ｔ１が入力されているか判定する。第一制御部１１は、ＲＧＢ２１１からの外部信号Ｔ１の入力が有る場合（Ｓ１０８，Ｙｅｓ）、ＲＧＢ２１１からの外部信号Ｔ１にソースを切り換えて投影し（Ｓ１１５）、処理を終了する。第一制御部１１は、ＲＧＢ２１１からの外部信号Ｔ１の入力が無い場合（Ｓ１０８，Ｎｏ）、ステップＳ１０９の処理に進む。
【００２６】
ステップＳ１０９で、第一制御部１１は、第二制御部１２が起動したか判定する。第一制御部１１は、第二制御部１２が起動している場合に（Ｓ１０９，Ｙｅｓ）、検索済ソース１３３としてＲＧＢ２１１を設定して（Ｓ１１６）、図３のステップＳ２０１に進む。一方、第一制御部１１は、第二制御部１２が起動していない場合に（Ｓ１０９，Ｎｏ）、ステップＳ１１０の処理に進む。
【００２７】
ステップＳ１１０で、第一制御部１１は、第一入力部２１のＶｉｄｅｏ２１２から外部信号Ｔ１が入力されているか判定する。第一制御部１１は、Ｖｉｄｅｏ２１２からの外部信号Ｔ１の入力が有る場合（Ｓ１１０，Ｙｅｓ）、Ｖｉｄｅｏ２１２からの外部信号Ｔ１にソースを切り換えて投影し（Ｓ１１７）、処理を終了する。第一制御部１１は、Ｖｉｄｅｏ２１２からの外部信号Ｔ１の入力が無い場合（Ｓ１１０，Ｎｏ）、ステップＳ１１１の処理に進む。
【００２８】
ステップＳ１１１で、第一制御部１１は、第二制御部１２が起動したか判定する。第一制御部１１は、第二制御部１２が起動している場合に（Ｓ１１１，Ｙｅｓ）、検索済ソース１３３としてＶｉｄｅｏ２１２を設定して（Ｓ１１８）、図３のステップＳ２０１に進む。一方、第一制御部１１は、第二制御部１２が起動していない場合に（Ｓ１１１，Ｎｏ）、ステップＳ１１２の処理に進む。
【００２９】
ステップＳ１１２で、第一制御部１１は、記憶部１３に記憶したカウンタ１３２が満了したか判定する。ステップＳ１１２の判定方法としては、例えば、第一制御部１１がカウンタ１３２に記憶される値に対してカウントアップやカウントダウンを行い、カウンタ１３２の値が予め定めた閾値を満たしたか否かにより判定させることができる。第一制御部１１は、カウンタ１３２が満了したと判定した場合（Ｓ１１２，Ｙｅｓ）処理を終了し、カウンタ１３２が満了したと判定しない場合（Ｓ１１２，Ｎｏ）ステップＳ１１９の処理に進む。
【００３０】
ステップＳ１１９で、第一制御部１１は、記憶部１３のカウンタ１３２の値を更新する。例えば、第一制御部１１は、カウンタ１３２の値をカウントアップする又はカウントダウンすることで、ＨＤＭＩ２１３、ＲＧＢ２１１及びＶｉｄｅｏ２１２からの外部信号Ｔ１の入力の有無の判定回数をカウントすることができる。これにより、第一制御部１１は、第二制御部１２の起動が無く、予め定めた回数（例えば、２回）第一入力部２１の外部信号Ｔ１の判定を行うと、処理を終了させることができる。ステップＳ１１９の後、処理はステップＳ１０６に戻る。
【００３１】
なお、カウンタ１３２が満了するまでのカウント回数は、ステップＳ１０６〜Ｓ１１２，Ｓ１１９で繰り返される処理時間が、第二制御部１２の通常期待される起動時間よりも長くなるように設定することができる。また、ステップＳ１０６〜Ｓ１１２，Ｓ１１９で繰り返される処理の間に、一定時間の停止処理（ｗａｉｔ処理）を導入してもよい。
【００３２】
次に図３を参照して、投影装置１０の起動時に第一制御部１１が行う処理のフローチャート（２）について説明する。まず、以下のステップＳ２０１，Ｓ２０２において、第一制御部１１は、第二制御部１２に対して第二入力部２２から外部信号Ｔ２が入力されているか順次判定する。判定する順番について、ステップＳ１０３において取得したラストソース１３１が第一入力部２１に含まれるＲＧＢ２１１、Ｖｉｄｅｏ２１２及びＨＤＭＩ２１３のいずれかである場合、第一制御部１１は、ステップＳ２０１及びＳ２０２において予め定めた順番で第二入力部２２からの入力の有無を判定する。本実施形態では、第二入力部２２の判定順１３４として、ＵＳＢ２２１及び有線／無線ＬＡＮ２２２の順番で記憶部１３に予め記憶されている。そのため、第一制御部１１は、ラストソース１３１が第一入力部２１である場合、図３に示すようにステップＳ２０１及びＳ２０２のそれぞれにおいてＵＳＢ２２１及び有線／無線ＬＡＮ２２２の順に外部信号Ｔ２の入力の有無を判定する。
【００３３】
一方、ステップＳ１０３において取得したラストソース１３１が第二入力部２２に含まれるＵＳＢ２２１及び有線／無線ＬＡＮ２２２のいずれかである場合、第一制御部１１は、ラストソース１３１からの外部信号Ｔ２の入力の有無を判定して、以降は判定順１３４に従いラストソース１３１の次の外部信号Ｔ２から判定を行う。例えば、ラストソース１３１が有線／無線ＬＡＮ２２２であり、第二入力部２２の判定順１３４がＵＳＢ２２１及び有線／無線ＬＡＮ２２２の順である場合、第一制御部１１は、ステップＳ２０１及びＳ２０２のそれぞれにおいて有線／無線ＬＡＮ２２２及びＵＳＢ２２１の順に入力信号の入力の有無を判定する。
【００３４】
本実施形態では、ステップＳ１０３で取得したラストソース１３１が第一入力部２１のＨＤＭＩ２１３であるため、第一制御部１１は、ステップＳ２０１及びＳ２０２のそれぞれにおいてＵＳＢ２２１及び有線／無線ＬＡＮ２２２の順に外部信号Ｔ２の入力の有無を判定する。以下、ステップＳ２０１の処理から説明する。
【００３５】
ステップＳ２０１で、第一制御部１１は、第二制御部１２を介して、第二入力部２２のＵＳＢ２２１から外部信号Ｔ２が入力されているか判定する。第一制御部１１は、ＵＳＢ２２１から外部信号Ｔ２の入力が有る場合（Ｓ２０１，Ｙｅｓ）、ＵＳＢ２２１の外部信号Ｔ２にソースを切り換えて投影し（Ｓ２１０）、処理を終了する。第一制御部１１は、ＵＳＢ２２１から外部信号Ｔ２の入力が無い場合（Ｓ２０１，Ｎｏ）、ステップＳ２０２の処理に進む。
【００３６】
ステップＳ２０２で、第一制御部１１は、第二入力部２２の有線／無線ＬＡＮ２２２から外部信号Ｔ２が入力されているか判定する。第一制御部１１は、有線／無線ＬＡＮ２２２から外部信号Ｔ２の入力が有る場合（Ｓ２０２，Ｙｅｓ）、有線／無線ＬＡＮ２２２の外部信号Ｔ２にソースを切り換えて投影し（Ｓ２１１）、処理を終了する。第一制御部１１は、有線／無線ＬＡＮ２２２から外部信号Ｔ２の入力が無い場合（Ｓ２０２，Ｎｏ）、ステップＳ２０３の処理に進む。
【００３７】
ステップＳ２０３で、第一制御部１１は、記憶部１３から検索済ソース１３３に記憶された外部入力のソースを取得する。検索済ソース１３３には、図２のフローチャートで第一制御部１１が最後に外部信号Ｔ１の入力の有無を判定したソースであるＲＧＢ２１１、Ｖｉｄｅｏ２１２及びＨＤＭＩ２１３のいずれかが記憶される。第一制御部１１は、検索済ソース１３３がＨＤＭＩ２１３である場合にステップＳ２０４の処理へ進み、ＲＧＢ２１１である場合にステップＳ２０５の処理に進み、Ｖｉｄｅｏ２１２である場合にステップＳ２０６の処理に進む。これにより、判定順１３４に予め記憶させた順に従い、図２の判定処理で中断した第一入力部２１の各ソースの判定を続きから再開することができ、複数設けられた第一入力部２１の判定回数の隔たりを防止することができる。
【００３８】
ステップＳ２０４で、第一制御部１１は、ＲＧＢ２１１から外部信号Ｔ１の入力が有るか判定する。第一制御部１１は、ＲＧＢ２１１から外部信号Ｔ１の入力が有る場合（Ｓ２０４，Ｙｅｓ）、ＲＧＢ２１１からの外部信号Ｔ１にソースを切り換えて投影し（Ｓ２１２）、処理は終了する。ＲＧＢ２１１から外部信号Ｔ１の入力が無い場合（Ｓ２０４，Ｎｏ）、ステップＳ２０５の処理に進む。
【００３９】
ステップＳ２０５で、第一制御部１１は、Ｖｉｄｅｏ２１２から外部信号Ｔ１の入力が有るか判定する。第一制御部１１は、Ｖｉｄｅｏ２１２から外部信号Ｔ１の入力が有る場合（Ｓ２０５，Ｙｅｓ）、Ｖｉｄｅｏ２１２からの外部信号Ｔ１にソースを切り換えて投影し（Ｓ２１３）、処理を終了する。Ｖｉｄｅｏ２１２から外部信号Ｔ１の入力が無い場合（Ｓ２０５，Ｎｏ）、ステップＳ２０６の処理に進む。
【００４０】
ステップＳ２０６で、第一制御部１１は、ＨＤＭＩ２１３から外部信号Ｔ１の入力が有るか判定する。第一制御部１１は、ＨＤＭＩ２１３から外部信号Ｔ１の入力が有る場合（Ｓ２０６，Ｙｅｓ）、ＨＤＭＩ２１３からの外部信号Ｔ１にソースを切り換えて投影し（Ｓ２１４）、処理を終了する。ＨＤＭＩ２１３から外部信号Ｔ１の入力が無い場合（Ｓ２０６，Ｎｏ）、ステップＳ２０７の処理に進む。
【００４１】
第一入力部２１からの外部信号Ｔ１の判定を終えると、再び第二入力部２２からの外部信号Ｔ２の判定が行われる。ステップＳ２０７で、第一制御部１１は、第二制御部１２を介してＵＳＢ２２１から外部信号Ｔ２の入力が有るか判定する。第一制御部１１は、ＵＳＢ２２１から外部信号Ｔ２の入力が有る場合（Ｓ２０７，Ｙｅｓ）、ＵＳＢ２２１の外部信号Ｔ２にソースを切り換えて投影し（Ｓ２１５）、処理を終了する。ＵＳＢ２２１から外部信号Ｔ２の入力が無い場合（Ｓ２０７，Ｎｏ）、ステップＳ２０８の処理に進む。
【００４２】
ステップＳ２０８で、第一制御部１１は、第二制御部１２を介して有線／無線ＬＡＮ２２２から外部信号Ｔ２の入力が有るか判定する。第一制御部１１は、有線／無線ＬＡＮ２２２から外部信号Ｔ２の入力が有る場合（Ｓ２０８，Ｙｅｓ）、有線／無線ＬＡＮ２２２の外部信号Ｔ２にソースを切り換えて投影し（Ｓ２１６）、処理を終了する。有線／無線ＬＡＮ２２２から外部信号Ｔ２の入力が無い場合（Ｓ２０８，Ｎｏ）ステップＳ２０９の処理に進む。
【００４３】
ステップＳ２０９で、第一制御部１１は、記憶部１３に記憶したカウンタ１３２が満了したか判定する。第一制御部１１は、カウンタ１３２が満了したと判定した場合（Ｓ２０９，Ｙｅｓ）処理を終了し、カウンタ１３２が満了したと判定しない場合（Ｓ２１７，Ｎｏ）ステップＳ１１９の処理に進む。第一制御部１１は、第一入力部２１及び第二入力部２２からの外部信号Ｔ１，Ｔ２の入力の有無を予め定めた回数判定を行うと、処理を終了させることができる。
【００４４】
ステップＳ２１７で、第一制御部１１は、記憶部１３のカウンタ１３２の値を更新し、ステップＳ２０４の処理に戻る。
【００４５】
第一制御部１１は、いずれのソースからの外部信号Ｔ１，Ｔ２も検出しない場合は、カウンタ１３２の満了により（Ｓ２０９，Ｙｅｓ）処理を終了させ、投影装置１０からの投影画像を黒画像やブルー画像としたり、投影装置１０を待機状態として一部の機能を休止させたりすることができる。
【００４６】
以上、本実施形態では、図２に示したフローチャートにおいて、第一制御部１１が第二制御部１２の起動を検出すると（Ｓ１０７，Ｓ１０９，Ｓ１１１）、外部信号Ｔ２が入力されているか検出する処理について示したが、第一制御部１１が第二制御部１２の起動を検出すると第一入力部２１のソース（図１の例では、ＲＧＢ２１１、Ｖｉｄｅｏ２１２及びＨＤＭＩ２１３）について外部信号Ｔ１の入力の有無を全て判定した後に、ステップＳ２０１の処理に進む構成としてもよい。この場合、検索済ソース１３３の設定処理（図２のステップＳ１１４，Ｓ１１６，Ｓ１１８）及び分岐処理（図３のステップＳ２０３）を省略することができる。
【００４７】
また、投影装置１０は、一定時間操作を行わなかった場合や使用者の手動により、スリープモードに切り換えることができる。スリープモードでは、第一制御部１１は休止状態となり、第二制御部１２は第二入力部２２からの外部信号Ｔ２を受信可能な状態で待機する。このとき、第二制御部１２は、第二入力部２２から外部信号Ｔ２を受信すると、第一制御部１１を起動させる。その後、第一制御部１１は、図２のフローチャートに従ったステップＳ１０１からの処理を開始すると、第二制御部１２は起動しているため（ステップＳ１０７，Ｙｅｓ）第二入力部２２からの外部信号Ｔ２を受信し、この外部信号Ｔ２に基づいた画像光を投影させることができる。
【００４８】
また、本実施形態では、信号を検出する装置として、投影装置１０の例を示したが、第一制御部と第二制御部を備えた信号検出装置であれば、本実施形態に示した信号検出方法は他の装置或いはコンピュータにも信号検出プログラムを実行させて適用させることができる。例えば、信号検出装置は、複数の外部信号の入力部を備えるパソコン、テレビ、スマートフォン又は外部モニタや、外部信号を受信して他の装置に送信する中継器等に利用することができる。信号検出装置に入力された外部信号は、内部や外部装置に設けられた記憶部、制御部及び通信部その他の機能部へ出力させることができる。
【００４９】
また、カラーホイール１１２は、投影装置１０の構成によっては適宜省略してもよい。光源１１１からの光は、図示しない導光光学系を介して表示素子１１３に照射させることができる。
【００５０】
また、第一制御部１１が第二制御部１２の起動を検出する例で説明したが、第二制御部１２が起動する時間がわかっている場合は、第二制御部１２の起動を直接検出しなくても、第二制御部１２の起動時間よりも長い時を設定して、設定した時間の経過を、第二制御部１２の起動とみなしてもよい。
【００５１】
以上、本実施形態の投影装置１０は、接続された複数の外部信号の入力の有無を判定する第一制御部１１と、第一制御部１１の起動後に起動する第二制御部１２と、第一制御部１１に直接的に接続され、前記複数の外部信号の一種である第一外部信号を入力する第一入力部２１と、第一制御部１１に第二制御部１２を介して接続され、複数の外部信号の別の一種である第二外部信号を入力する第二入力部２２と、を備える。また、第一制御部１１は、第一制御部１１の起動後に第一外部信号の入力の有無を判定し、第二制御部１２が起動後に、第二外部信号の入力の有無を判定する構成とした。
【００５２】
例えば、第二制御部１２として説明したマルチメディアＣＰＵは、第一制御部１１であるメインＣＰＵと比較して起動に時間が掛かる場合が有る。そのため、上述のような構成とすると、第一制御部１１は、第二制御部１２の起動前は第二制御部１２と接続される第二入力部２２からの入力の有無の判定処理を行わないため、無駄な処理を低減することができ、第二制御部１２の起動後に第二入力部２２からの外部信号の検出処理に切り換えることができる。よって、第一入力部２１又は第二入力部２２からの外部入力信号を効率良く検出することができる。
【００５３】
また、第一制御部１１が、第二制御部１２に入力される第二外部信号の入力の有無を判定させた後に、さらに第一外部信号の入力の有無を判定する信号検出装置は、第一入力部２１又は第二入力部２２から入力される外部信号Ｔ１，Ｔ２を素早く出力させることができる。
【００５４】
また、図２及び図３に示したように、第一制御部１１が第二制御部１２の起動を検出すると、全ての第一外部信号の入力の有無を判定する前に、第二制御部１２に全ての第二外部信号の入力の有無を判定させ、第一外部信号の入力の有無の判定を途中から再開する信号検出装置は、検出対象に第二入力部２２からの外部信号Ｔ２も素早く含めることができるとともに、第二入力部２２の外部信号Ｔ２の入力の有無を優先して判定させることができる。
【００５５】
また、信号検出装置は、第一外部信号の入力の有無を予め定めた回数判定した場合、第二制御部１２の起動前であっても処理を終了するため、外部接続機器が接続されていないと判定して消費電力を低減することができる。
【００５６】
また、第二制御部１２の起動した後に第一外部信号及び第二外部信号の入力の有無を予め定めた回数判定した場合に処理を終了する信号検出装置は、第一入力部２１及び第二入力部２２に外部接続機器が接続されていないと判定して消費電力を低減することができる。
【００５７】
また、第二制御部１２の起動を検出すると、全ての第一外部信号の入力の有無を判定した後に、第二制御部１２に第二外部信号の入力の有無を判定させる信号検出装置は、処理を簡易にすることができ制御負荷を低減することができる。
【００５８】
また、第一入力部２１又は第二入力部２２を記憶したラストソース１３１と、第一外部信号及び第二外部信号の判定順１３４とを、予め記憶した記憶部１３を備える。第一制御部１１は、ラストソース１３１が第二入力部２２である場合に、第一外部信号の入力の有無を判定順１３４に従って判定し、第二制御部１２が起動後に、第二外部信号の入力の有無をラストソース１３１から順に判定する。そしてラストソース１３１が第一入力部２１である場合に、第一外部信号の入力の有無をラストソース１３１から判定する。そのため、第一制御部１１は最近使用した入力系統から外部信号の検出を素早く行うことができる。
【００５９】
また、第一制御部１１が、第一外部信号又は第二外部信号を検出すると、検出した第一外部信号又は第二外部信号を他の機能部へ出力して処理を終了する信号検出装置は、最初に検出した外部信号Ｔ１，Ｔ２を素早く利用することができる。
【００６０】
また、光源１１１及び表示素子１１３を備え、第一外部信号又は第二外部信号を投影する投影装置１０である信号検出装置は、外部信号を効率良く検出して投影画像として出力可能な投影装置１０を提供することができる。
【００６１】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６２】
以下に、本願出願の最初の特許請求の範囲に記載された発明を付記する。
［１］  接続された複数の外部信号の入力の有無を判定する第一制御部と、
前記第一制御部の起動後に起動する第二制御部と、
前記第一制御部に直接的に接続され、前記複数の外部信号の一種である第一外部信号を入力する第一入力部と、
前記第一制御部に前記第二制御部を介して接続され、前記複数の外部信号の別の一種である第二外部信号を入力する第二入力部と、
を備え、
前記第一制御部は、
前記第一制御部の起動後に前記第一外部信号の入力の有無を判定し、
前記第二制御部が起動した後に、前記第二外部信号の入力の有無を判定する、
ことを特徴とする信号検出装置。
［２］  前記第一制御部は、前記第二制御部の起動前は、前記第二外部信号の入力の有無の判定を行わないことを特徴とする前記［１］に記載の信号検出装置。
［３］  前記第一制御部は、前記第二外部信号の入力の有無を判定した後に、さらに前記第一外部信号の入力の有無を判定することを特徴とする前記［１］又は前記［２］に記載の信号検出装置。
［４］  前記第一制御部は、前記第二制御部の起動後、全ての前記第一外部信号の入力の有無を判定する前に、全ての前記第二外部信号の入力の有無を判定し、前記第一外部信号の入力の有無の判定を途中から再開することを特徴とする前記［３］に記載の信号検出装置。
［５］  前記第一制御部は、前記第一外部信号の入力の有無を予め定めた回数判定した場合、前記第二制御部の起動前であっても処理を終了することを特徴とする前記［１］乃至前記［４］の何れかに記載の信号検出装置。
［６］  前記第一制御部は、前記第二制御部の起動した後に前記第一外部信号及び前記第二外部信号の入力の有無を予め定めた回数判定した場合に処理を終了することを特徴とする前記［１］乃至前記［５］の何れかに記載の信号検出装置。
［７］  前記第一制御部は、前記第二制御部の起動後、全ての前記第一外部信号の入力の有無を判定した後に、前記第二外部信号の入力の有無を判定することを特徴とする前記［１］乃至前記［３］の何れかに記載の信号検出装置。
［８］  前記第一入力部又は前記第二入力部を記憶したラストソースと、前記第一外部信号及び前記第二外部信号の判定順とを、予め記憶した記憶部を備え、
前記第一制御部は、
前記ラストソースが前記第二入力部である場合に、前記第一外部信号の入力の有無を前記判定順に従って判定し、前記第二制御部が起動した後に、前記第二外部信号の入力の有無を前記ラストソースから順に判定し、
前記ラストソースが前記第一入力部である場合に、前記第一外部信号の入力の有無を前記ラストソースから判定する、
ことを特徴とする前記［１］乃至前記［７］の何れかに記載の信号検出装置。
［９］  前記第一制御部は、前記第一外部信号又は前記第二外部信号を検出すると、検出した前記第一外部信号又は前記第二外部信号を他の機能部へ出力して処理を終了することを特徴とする前記［１］乃至前記［８］の何れかに記載の信号検出装置。
［１０］  光源と、該光源から出射された光を前記第一外部信号又は前記第二外部信号に含まれる画像データに基づいて画像光を形成し外部に投影する表示素子とを備えた投影装置であることを特徴とする前記［１］乃至前記［９］の何れかに記載の信号検出装置。
［１１］  接続された複数の外部信号の入力の有無を判定する第一制御部と、前記第一制御部の起動後に起動する第二制御部と、前記第一制御部に直接的に接続され、前記複数の外部信号の一種である第一外部信号を入力する第一入力部と、前記第一制御部に前記第二制御部を介して接続され、前記複数の外部信号の別の一種である第二外部信号を入力する第二入力部と、を備える装置の信号検出方法であって、
前記第一制御部は、
前記第一制御部の起動後に前記第一外部信号の入力の有無を判定し、
前記第二制御部が起動した後に、前記第二外部信号の入力の有無を判定する、
ことを特徴とする信号検出方法。
［１２］  接続された複数の外部信号の入力の有無を判定する第一制御部と、前記第一制御部の起動後に起動する第二制御部と、前記第一制御部に直接的に接続され、前記複数の外部信号の一種である第一外部信号を入力する第一入力部と、前記第一制御部に前記第二制御部を介して接続され、前記複数の外部信号の別の一種である第二外部信号を入力する第二入力部と、を備えるコンピュータが実行する信号検出プログラムであって、前記コンピュータを、
前記第一制御部の起動後に前記第一外部信号の入力の有無を判定させ、
前記第二制御部が起動した後に、前記第二外部信号の入力の有無を判定させる、
ことを特徴とする信号検出プログラム。
【符号の説明】
【００６３】
１０      投影装置                        １１      第一制御部
１２      第二制御部                      １３      記憶部
２１      第一入力部                      ２２      第二入力部
３１      外部接続機器                    ３２      外部接続機器
１１１    光源                            １１２    カラーホイール
１１３    表示素子                        １３１    ラストソース
１３２    カウンタ                        １３３    検索済ソース
１３４    判定順                          ２１１    ＲＧＢ
２１２    Ｖｉｄｅｏ                      ２１３    ＨＤＭＩ
２２１    ＵＳＢ                          ２２２    有線／無線ＬＡＮ
【図１】
2020098947.tif 000003
【図２】
2020098947.tif 000004
【図３】
2020098947.tif 000005